【手続補正書】
【提出日】平成18年7月3日(2006.7.3)
【手続補正１】
【補正対象書類名】明細書
【補正対象項目名】発明の名称
【補正方法】変更
【補正の内容】
【発明の名称】ＩＰ通信網を用いた端末間の通信方法
【手続補正２】
【補正対象書類名】特許請求の範囲
【補正対象項目名】全文
【補正方法】変更
【補正の内容】
【特許請求の範囲】
【請求項１】
ＩＰ通信網は通信回線を経由して複数の端末を接続しており、前記通信回線は有線通信回線乃至携帯電話回線のいずれも可能であり、前記携帯電話回線に接続する端末は携帯電話機であり、前記有線通回線に接続する端末は有線端末であり、前記ＩＰ通信網はサーバを含み、前記サーバは電話番号を質問されて前記電話番号に対応する少なくとも端末のＩＰアドレスを回答する機能を有しており、通信接続を要求する送信端末は、宛先端末の電話番号を含むＩＣＳユーザフレームを生成して前記ＩＰ通信網に送出し、前記サーバは、受信した前記ＩＣＳユーザフレーム内の前記宛先端末の電話番号に対応するＩＰアドレスを回答し、前記求めたＩＰアドレスを含むＩＣＳユーザフレームを前記送信端末に返信し、前記送信端末は受信した前記ＩＣＳユーザフレームから前記宛先端末のＩＰアドレスを取得し、前記送信端末と前記宛先端末の少なくとも一方は携帯電話機であり、前記送信端末は、前記取得したＩＰアドレスを宛先ＩＰアドレスとするＩＣＳユーザフレームを生成し、前記生成したＩＣＳユーザフレームを前記ＩＰ通信網を経由して前記宛先端末に送信する手順を経て端末間で通信することを特徴とするＩＰ通信網を用いた端末間の通信方法。
【請求項２】
ＩＰ通信網は通信回線を経由して複数の端末を接続しており、前記通信回線は有線通信回線乃至無線通信路のいずれも可能であり、前記無線通信路に接続する端末は無線通信機能を有する無線端末であり、前記有線通回線に接続する端末は有線端末であり、前記ＩＰ通信網はサーバを含み、前記サーバは電話番号を質問されて前記電話番号に対応する少なくとも端末のＩＰアドレスを回答する機能を有しており、通信接続を要求する送信端末は、宛先端末の電話番号を含むＩＣＳユーザフレームを生成して通信回線を経て前記ＩＰ通信網に送出し、前記サーバは、受信した前記ＩＣＳユーザフレーム内の前記宛先端末の電話番号に対応するＩＰアドレスを回答し、前記求めたＩＰアドレスを含むＩＣＳユーザフレームを前記送信端末に返信し、前記送信端末は受信した前記ＩＣＳユーザフレームから前記宛先端末のＩＰアドレスを取得し、前記送信端末と前記宛先端末の少なくとも一方は無線端末であり、前記送信端末は前記取得したＩＰアドレスを宛先ＩＰアドレスとするＩＣＳユーザフレームを生成し、前記生成したＩＣＳユーザフレームを前記ＩＰ通信網を経由して前記宛先端末に送信する手順を経て端末間で通信することを特徴とするＩＰ通信網を用いた端末間の通信方法。
【請求項３】
ＩＰ通信網は２以上のアクセス制御装置を含み、前記アクセス制御装置から通信回線を経由して複数の端末を接続しており、前記ＩＰ通信網はサーバを含み、通信接続を要求する送信側の端末１は、宛先側の端末２の電話番号２を含むＩＣＳユーザフレームを生成して接続するアクセス制御装置１に送出し、前記サーバは、前記ＩＣＳユーザフレーム内の前記電話番号２に対応するＩＣＳユーザアドレス及びＩＣＳネットワークアドレスを前記アクセス制御装置１に回答し、前記アクセス制御装置１は取得した前記ＩＣＳユーザアドレス及びＩＣＳネットワークアドレスを含む新規項目をその変換表の内部に作成し、前記求めたＩＣＳユーザアドレスを含むＩＣＳユーザフレームを生成して前記端末１に返信し、前記端末１は受信した前記ＩＣＳユーザフレームから前記端末２のＩＣＳユーザアドレスを取得し、前記端末１は前記取得したＩＣＳユーザアドレスを宛先ＩＰアドレスとするＩＣＳユーザフレームを生成し、前記生成したＩＣＳユーザフレームを前記ＩＰ通信網を経由して前記端末２に送信する手順を経て端末間で通信することを特徴とするＩＰ通信網を用いた端末間の通信方法。
【請求項４】
ＩＰ通信網は２以上のアクセス制御装置、２以上の第１の無線送受信機、サーバを含み、前記サーバは端末を識別する電話番号を提示されると、前記電話番号に対応するＩＣＳユーザアドレス及びＩＣＳネットワークアドレスを回答する機能を有し、前記アクセス制御装置は変換表を含み、前記第１の無線送受信機は、ＩＣＳユーザフレームを電波形式のＩＣＳユーザフレームに変換して送信する機能と、電波形式のＩＣＳユーザフレームを受信してＩＣＳユーザフレームに逆変換する機能とを有し、前記ＩＰ通信網の外部にある端末はそれぞれが内蔵している第２の無線送受信機を用いて、電波形式のＩＣＳユーザフレームを送受可能であり、アクセス制御装置１は第１の無線送受信機１と情報通信路１を介して接続されており、アクセス制御装置２は第１の無線送受信機２と情報通信路２を介して接続されており、送信側の端末１は、受信側の端末２を識別する電話番号２を含む電波形式のＩＣＳユーザフレームＶ０を形成して送出し、前記ＩＣＳユーザフレームＶ０は無線通信路１を経て前記第１の無線送受信機１に到達し、前記第１の無線送受信機１で前記ＩＣＳユーザフレームＶ０はＩＣＳユーザフレームＶ１に変換され、前記ＩＣＳユーザフレームＶ１は前記情報通信路１を経て、前記情報通信路１の終端の発信側ＩＣＳ論理端子１を経てアクセス制御装置１に入力し、アクセス制御装置１は前記サーバを呼出して前記電話番号２に対応するＩＣＳユーザアドレス及びＩＣＳネットワークアドレスを取得し、前記アクセス制御装置１は、前記取得したＩＣＳユーザアドレス及びＩＣＳネットワークアドレスを含む変換表新規項目を当該変換表内に作成し、前記端末２のＩＣＳユーザアドレスをそのデータ部に含むＩＣＳユーザフレームＶ２を形成して前記第１の無線送受信機１に送信し、前記ＩＣＳユーザフレームＶ２は、前記第１の無線送受信機１において電波形式のＩＣＳユーザフレームＶ３に変換され前記端末１に到達し、以上の手順により前記端末１は前記端末２のＩＣＳユーザアドレスを取得し、前記端末１が送出した電波形式のＩＣＳユーザフレームＸは無線通信路１を経て前記第１の無線送受信機１に到達し、前記第１の無線送受信機１は、受信した電波形式のＩＣＳユーザフレームＸをＩＣＳユーザフレーム１に変換し、前記変換したＩＣＳユーザフレーム１は前記情報通信路１を経て前記アクセス制御装置１に入力し、前記アクセス制御装置１において、発信側ＩＣＳ論理端子識別情報が用いられて送信先が決定されているＩＣＳネットワークフレームとなり、前記ＩＣＳネットワークフレームは前記ＩＰ通信網の内部を転送されて着信側アクセス制御装置２に到達し、前記アクセス制御装置２において、前記ＩＣＳネットワークフレームから前記ＩＣＳユーザフレーム１が復元され、前記復元されたＩＣＳユーザフレーム１が前記着信側ＩＣＳ論理端子を経て、情報通信路２を経て他の第１の無線送受信機２に転送され、前記第１の無線送受信機２に到達した前記ＩＣＳユーザフレーム１は前記第１の無線送受信機２において電波形式のＩＣＳユーザフレームＹに変換され、前記ＩＣＳユーザフレームＹは無線通信路２を経由して端末２に到達するようになっており、端末とＩＰ通信網間は無線通信路が用いられ、送信側端末は受信側端末の電話番号をＩＰ通信網内部のサーバに提示し、受信側端末のＩＣＳユーザアドレスを取得してから前記受信側端末へＩＣＳユーザフレームを送信するようになっていることを特徴とするＩＰ通信網を用いた端末間の通信方法。
【請求項５】
ＩＰ通信網は通信回線を経由して２以上の端末と接続され、前記通信回線は有線通信回線乃至携帯電話回線のいずれも可能であり、前記携帯電話回線に接続する端末は携帯電話機であり、前記有線通回線に接続する端末は有線端末であり、送信側端末は宛先端末の電話番号を含むＩＰパケットを形成して前記ＩＰ通信網に送り、前記ＩＰ通信網は送信された電話番号を基に前記宛先端末のＩＰアドレスを形成して前記送信側端末に送信し、前記送信端末と前記宛先端末の少なくとも一方は携帯電話機であり、前記送信側端末と前記宛先端末間は、前記送信側端末のＩＰアドレスと前記取得した宛先端末のＩＰアドレスとを用いて通信することを特徴とするＩＰ通信網を用いた端末間の通信方法。
【請求項６】
ＩＰ通信網は通信回線を経由して２以上の端末と接続され、前記通信回線は有線通信回線乃至無線通信路のいずれも可能であり、前記無線通信路に接続する端末は無線通信機能を有する無線端末であり、前記有線通回線に接続する端末は有線端末であり、送信側端末は、宛先端末の電話番号を含むＩＰパケットを形成して前記ＩＰ通信網に送り、前記ＩＰ通信網は送信された電話番号を基に前記宛先端末のＩＰアドレスを形成して前記送信側端末に送信し、前記送信端末と前記宛先端末の少なくとも一方は無線端末であり、前記送信側端末と前記宛先端末との間は、前記送信側端末のＩＰアドレスと前記取得した宛先端末のＩＰアドレスとを用いて通信することを特徴とするＩＰ通信網を用いた端末間の通信方法。
【請求項７】
ＩＰ通信網は２以上のアクセス制御装置を含むと共に第１の無線送受信機を含み、アクセス制御装置１及び第１の無線送受信機１は情報通信路１により接続されており、前記情報通信路１を経てＩＣＳユーザフレームを送受可能であり、前記第１の無線送受信機１は、ＩＣＳユーザフレームを電波形式のＩＣＳユーザフレームに変換して送信する機能と、電波形式のＩＣＳユーザフレームを受信してＩＣＳユーザフレームに逆変換する機能とを有し、前記ＩＰ通信網の外部にある端末１は、内蔵している第２の無線送受信機１を用いて、前記第１の無線送受信機１と無線通信路１を介して電波形式のＩＣＳユーザフレーム１を送受可能であり、前記ＩＰ通信網の外部にある端末２はユーザ通信回線２を経てアクセス制御装置２に接続しており、前記端末１が送出した電波形式のＩＣＳユーザフレームＸは、前記無線通信路１を経て前記第１の無線送受信機１に到達し、前記第１の無線送受信機１は受信した電波形式のＩＣＳユーザフレームＸを情報通信路１を転送するためのＩＣＳユーザフレーム１に変換し、前記変換したＩＣＳユーザフレーム１を前記情報通信路１を経て、前記情報通信路１の終端の発信側ＩＣＳ論理端子を経て発信側アクセス制御装置１に入力し、前記アクセス制御装置１において、発信側ＩＣＳ論理端子識別情報が用いられて送信先が決定されているＩＣＳネットワークフレームとなり、前記ＩＣＳネットワークフレームは前記ＩＰ通信網の内部を転送されて着信側アクセス制御装置２に到達し、前記アクセス制御装置２において、前記ＩＣＳネットワークフレームから前記ＩＣＳユーザフレーム１が復元され、前記復元されたＩＣＳユーザフレーム１が、着信側ＩＣＳ論理端子を、次に宛先側ユーザ通信回線２を経て端末２に到達するようになっており、無線端末１と有線端末２との間でディジタルデータを格納したＩＣＳユーザフレームを送受することを特徴とするＩＰ通信網を用いた端末間の通信方法。
【請求項８】
ＩＰ通信網は２以上のアクセス制御装置を含むと共に２以上の第１の無線送受信機を含み、第１の無線送受信機は、ＩＣＳユーザフレームを電波形式のＩＣＳユーザフレームに変換して送信する機能と、電波形式のＩＣＳユーザフレームを受信してＩＣＳユーザフレームに逆変換する機能とを有し、前記ＩＰ通信網の外部にある端末は、それぞれが内蔵している第２の無線送受信機を用いて電波形式のＩＣＳユーザフレームを送受可能であり、アクセス制御装置１は第１の無線送受信機１と情報通信路１を介して接続されており、アクセス制御装置２は第１の無線送受信機２と情報通信路２を介して接続されており、端末１が送出した電波形式のＩＣＳユーザフレームＸは、無線通信路１を経て前記第１の無線送受信機１に到達し、前記第１の無線送受信機１は受信した前記電波形式のＩＣＳユーザフレームＸをＩＣＳユーザフレーム１に変換し、前記変換したＩＣＳユーザフレーム１を前記情報通信路１を経て、前記情報通信路１の終端の発信側ＩＣＳ論理端子を経て発信側アクセス制御装置１に入力し、前記アクセス制御装置１において、前記発信側ＩＣＳ論理端子識別情報が用いられて送信先が決定されているＩＣＳネットワークフレームとなり、前記ＩＣＳネットワークフレームは前記ＩＰ通信網の内部を転送されて着信側アクセス制御装置２に到達し、前記アクセス制御装置２において、前記ＩＣＳネットワークフレームから前記ＩＣＳユーザフレーム１が復元され、前記復元されたＩＣＳユーザフレーム１が着信側ＩＣＳ論理端子を、次に情報通信路２を経て第１の無線送受信機２に転送され、前記復元されたＩＣＳユーザフレーム１は前記第１の無線送受信機２において電波形式のＩＣＳユーザフレームＹに変換され、前記電波形式のＩＣＳユーザフレームＹは無線通信路２を経由して端末２に到達するようになっており、無線送受信機能を有する端末１と端末２との間でディジタルデータを格納したＩＣＳユーザフレームを送受することを特徴とするＩＰ通信網を用いた端末間の通信方法。
【請求項９】
前記電話番号がＩＣＳドメイン名であり、前記サーバはＩＣＳドメイン名を質問されて前記ＩＣＳドメイン名に対応する少なくとも端末のＩＰアドレスを回答する機能を有している請求項１又は２に記載のＩＰ通信網を用いた端末間の通信方法。
【請求項１０】
前記電話番号がＩＣＳドメイン名であり、前記サーバはＩＣＳドメイン名を質問されて前記ＩＣＳドメイン名に対応するＩＣＳユーザアドレス及びＩＣＳネットワークアドレスを回答する機能を有している請求項３又は４に記載のＩＰ通信網を用いた端末間の通信方法。
【請求項１１】
前記端末が無線通信機能を有する電話機であり、前記端末間で送受するＩＣＳユーザフレーム内部のディジタルデータがディジタル化音声である請求項７又は８に記載のＩＰ通信網を用いた端末間の通信方法。
【請求項１２】
前記アクセス制御装置２は電話回線変換部を有し、前記電話回線変換部が電話回線を経て公衆交換電話網に接続し、電話機３が前記公衆交換電話網に接続しており、前記端末１は電話機であり、
送信側の端末１は、受信側の電話機３を識別する電話番号３を含む電波形式のＩＣＳユーザフレームＷ０を形成して送出すると、前記第１の無線送受信機１でＩＣＳユーザフレームＷ１に変換されて前記制御装置１に入力し、前記アクセス制御装置１は前記サーバを呼出して前記電話番号３に対応するＩＣＳユーザアドレス及びＩＣＳネットワークアドレスを取得し、前記取得した２つのアドレスを含む変換表新規項目を当該変換表内に作成し、前記電話機３のＩＣＳユーザアドレスをそのデータ部に含むＩＣＳユーザフレームＷ２を形成して送信し、前記ＩＣＳユーザフレームＷ２は、電波形式のＩＣＳユーザフレームＷ３となって前記端末１に到達し、以上の手順により前記端末１は前記電話機３のＩＣＳユーザアドレスを取得し、
前記端末１が送出した電波形式のＩＣＳユーザフレーム３は、前記第１の無線送受信機１に到達して、ＩＣＳユーザフレーム３に変換され、前記変換されたＩＣＳユーザフレーム３は前記情報通信路１を経て、前記アクセス制御装置１に入力し、前記アクセス制御装置１において送信先が決定されているＩＣＳネットワークフレーム３となり、前記ＩＣＳネットワークフレーム３は前記ＩＰ通信網の内部を転送されて着信側アクセス制御装置２に到達し、前記アクセス制御装置２において、前記ＩＣＳユーザフレーム３が復元され、前記復元されたＩＣＳユーザフレーム３が前記電話回線変換部に入力して電話通信信号となり、前記電話回線、前記公衆交換電話網を経由して前記電話機３に到達するようになっており、前記端末１から前記電話機３に電話通信を始めるようになっている請求項1に記載のＩＰ通信網を用いた端末間の通信方法。
【請求項１３】
ＩＰ通信網は、送信側の端末が接続された発信側の論理端子を２以上含み、受信側の端末が接続された着信側の論理端子を２以上含み、前記ＩＰ通信網を経由して前記端末間でＩＰ通信を行う方法において、前記送信側の端末から送信されたＩＣＳユーザフレーム内の少なくとも宛先アドレスと、前記ＩＣＳユーザフレームを受信した発信側の論理端子を基に、前記ＩＣＳユーザフレームの送信先である受信側の端末が接続されている前記着信側の論理端子を決定し、着信側の論理端子識別情報を含むＩＣＳネットワークフレームを形成して前記決定した前記着信側論理端子に送信し、前記ＩＣＳネットワークフレームから前記ＩＣＳユーザフレームを復元して前記決定した前記着信側論理端子から前記受信側端末に送信することを特徴とするＩＰ通信網を用いた端末間の通信方法。
【請求項１４】
ＩＰ通信網は、アクセス制御装置を２以上含み、発信側のアクセス制御装置は端末が接続された発信側の論理端子を２以上含み、着信側のアクセス制御装置は端末が接続された着信側の論理端子を２以上含み、前記ＩＰ通信網を経由した前記端末間の通信方法において、送信側の端末から送信されたＩＣＳユーザフレーム内の少なくとも宛先アドレスと、前記発信側のアクセス制御装置の前記送信側の端末が接続された前記発信側の論理端子を基に前記発信側のアクセス制御装置が着信側論理端子識別情報を決定し、前記着信側論理端子識別情報を含むＩＣＳネットワークフレームを形成して前記着信側のアクセス制御装置に送信し、前記着信側のアクセス制御装置は、受信した前記ＩＣＳネットワークフレームに含まれる前記着信側論理端子識別情報を基に着信側論理端子を決定し、前記ＩＣＳユーザフレームを復元して前記決定した前記着信側論理端子から受信側端末に送信することを特徴とするＩＰ通信網を用いた端末間の通信方法。
【請求項１５】
ＩＰ通信網はアクセス制御装置を２以上含み、発信側のアクセス制御装置は端末が接続された発信側の論理端子を２以上含み、着信側のアクセス制御装置は端末が接続された着信側の論理端子を２以上含み、前記アクセス制御装置は変換表を含み、前記ＩＰ通信網を経由して前記端末間で通信を行う方法において、送信側の端末から送信されたＩＣＳユーザフレーム内の少なくとも宛先アドレスと、前記発信側のアクセス制御装置の前記送信側の端末が接続された前記発信側の論理端子を基に、前記発信側のアクセス制御装置が前記変換表を用いて着信側論理端子識別情報を決定し、前記着信側論理端子識別情報を含むＩＣＳネットワークフレームを形成して前記着信側のアクセス制御装置に送信し、前記着信側のアクセス制御装置は、受信した前記ＩＣＳネットワークフレームに含まれる前記着信側論理端子識別情報を基に着信側論理端子を決定し、前記ＩＣＳユーザフレームを復元して前記決定した前記着信側論理端子から受信側端末に送信することを特徴とするＩＰ通信網を用いた端末間の通信方法。
【請求項１６】
前記ＩＰ通信網は課金サーバを含み、前記課金サーバは課金条件を含み、前記課金サーバが、前記端末間の通信および前記課金条件を基に課金動作を行う請求項１３乃至１５のいずれかに記載のＩＰ通信網を用いた端末間の通信方法。
【請求項１７】
前記課金条件が従量課金である請求項１６に記載のＩＰ通信網を用いた端末間の通信方法。
【請求項１８】
前記課金条件が定額課金である請求項１６に記載のＩＰ通信網を用いた端末間の通信方法。
【請求項１９】
前記ＩＰ通信網は変換表サーバを含み、前記変換表サーバは前記変換表のレコードを書き換える請求項１５に記載のＩＰ通信網を用いた端末間の通信方法。
【請求項２０】
前記ＩＰ通信網はドメイン名サーバを含み、前記送信側の端末から送信されたＩＣＳユーザフレームに含まれるドメイン名を基に受信側端末のＩＰアドレスを特定し、前記送信側の端末に返信する請求項１３乃至１５のいずれかに記載の端末間の通信方法。
【請求項２１】
前記送信側端末及び受信側端末が電話機であり、前記受信側端末のドメイン名が電話番号であり、前記ドメイン名サーバが電話番号を基に端末のＩＰアドレスを特定する機能を有する請求項２０に記載のＩＰ通信網を用いた端末間の通信方法。
【請求項２２】
前記ＩＰ通信網はＩＣＳアドレス管理サーバ及び少なくとも課金サーバを含む他のサーバを含み、前記ＩＣＳアドレス管理サーバは、前記他のサーバに付与されたＩＣＳネットワークアドレスを記録する請求項１３乃至１５のいずれかに記載のＩＰ通信網を用いた端末間の通信方法。
【請求項２３】
前記ＩＰ通信網は認証サーバを含み、前記認証サーバは前記送信側の端末が前記ＩＰ通信網に登録されているかの認証を行う請求項１３乃至１５のいずれかに記載のＩＰ通信網を用いた端末間の通信方法。
【請求項２４】
前記ＩＰ通信網は電子署名の機能を含み、前記ＩＣＳネットワークフレームを形成するとき、前記ＩＣＳネットワークフレーム内部のＩＣＳユーザフレームに電子署名を行う請求項１３乃至１５のいずれかに記載のＩＰ通信網を用いた端末間の通信方法。
【請求項２５】
前記ＩＰ通信網は電子署名の機能を含み、前記ＩＣＳネットワークフレームからＩＣＳユーザフレームを復元するとき、前記復元したユーザフレームに電子署名を行う請求項１３乃至１５のいずれかに記載のＩＰ通信網を用いた端末間の通信方法。
【請求項２６】
前記ＩＰ通信網は暗号化の機能を含み、前記ＩＣＳネットワークフレーム内部のＩＣＳユーザフレームを暗号化する請求項１３乃至１５のいずれかに記載のＩＰ通信網を用いた端末間の通信方法。
【請求項２７】
ＩＰ通信網はアクセス制御装置を２以上含み、発信側のアクセス制御装置は第１の無線送受信機が接続された発信側の論理端子を２以上含み、前記第１の無線送受信機は第１の無線通信路を経由して第１の端末に接続され、着信側のアクセス制御装置は第２の無線送受信機が接続された着信側の論理端子を２以上含み、前記第２の無線送受信機は第２の無線通信路を経由して第２の端末と接続され、前記第1の無線送受信機及び前記第２の無線送受信機は、ＩＣＳユーザフレームの内部情報を電波形式のＩＣＳユーザフレームに変換して送信する機能及び電波形式のＩＣＳユーザフレームを受信して、ＩＣＳユーザフレームの内部情報に逆変換する機能を有し、前記ＩＰ通信網を経由して前記第1の端末と前記第２の端末間で通信を行う方法において、
第1の端末から送信されたＩＣＳユーザフレームは、前記第１の無線通信路と前記第1の無線送受信機を経由して、前記発信側のアクセス制御装置の前記第1の無線送受信機が接続された前記発信側の第1の論理端子に到達し、前記ＩＣＳユーザフレーム内の宛先アドレスと前記第1の論理端子を基に、前記発信側のアクセス制御装置が着信側論理端子識別情報を決定し、
前記着信側論理端子識別情報を含むＩＣＳネットワークフレームを形成して前記着信側のアクセス制御装置に送信し、
前記着信側のアクセス制御装置は、受信した前記ＩＣＳネットワークフレームに含まれる前記着信側論理端子識別情報を基に、前記第２の無線送受信機が接続された第２の着信側論理端子を決定し、
前記ＩＣＳユーザフレームを復元して前記決定した前記第２の着信側論理端子から前記第２の無線送受信機、前記第２の無線通信路を経由して前記第２の端末に送信することを特徴とするＩＰ通信網を用いた端末間の通信方法。
【請求項２８】
少なくともＩＰアドレス蓄積部、音声入出力部、音声データ送受部を含み、宛先ＩＰ端末の電話番号を含む第1のＩＣＳユーザフレームを生成して、ＩＣＳユーザ通信回線に送出し、前記第1のＩＣＳユーザフレーム内のＩＣＳユーザアドレスは、前記ＩＰアドレス蓄積部に含まれる当該ＩＰ端末のＩＣＳユーザアドレスと、問合せ先サーバのＩＣＳユーザアドレスであり、前記ＩＣＳユーザ通信回線から宛先ＩＰ端末のＩＣＳユーザアドレスを格納した第２のＩＣＳユーザフレームを受信し、前記音声入出力部から音声を入力し、前記音声は音声データ送受部においてディジタル音声に変換し、前記宛先ＩＰ端末のＩＣＳユーザアドレスと前記ＩＰアドレス蓄積部に含まれる当該ＩＰ端末のＩＣＳユーザアドレス及び前記ディジタル音声を、第3のＩＣＳユーザフレームに格納して前記宛先ＩＰ端末に送信し、以降は、前記宛先ＩＰ端末のＩＣＳユーザアドレスと前記ＩＰアドレス蓄積部に含まれる当該ＩＰ端末のＩＣＳユーザアドレスを含むＩＣＳユーザフレームを送受して通信を行うことを特徴とするＩＰ端末の制御方法。
【請求項２９】
請求項２８に記載の前記ＩＰ端末がＩＰ電話機であることを特徴とするＩＰ端末の制御方法。
【請求項３０】
端末は、宛先端末の電話番号を含むＩＰパケットを形成してＩＰ通信網に接続されたサーバに送り、前記サーバは前記宛先端末の電話番号を基に前記宛先端末のＩＰアドレスを形成して前記端末に送信し、前記端末は返信された前記宛先端末のＩＰアドレスと前記端末自身のＩＰアドレスを用いて前記宛先端末とＩＰパケットを送受して通信を行い、前記ＩＰ通信網は課金サーバを含み、前記課金サーバは課金条件を含み、前記課金サーバが前記端末の通信に対して前記課金条件を基に課金動作を行うことを特徴とするＩＰ通信網を用いた端末間の通信方法。
【請求項３１】
前記課金条件が従量課金である請求項３０に記載のＩＰ通信網を用いた端末間の通信方法。
【請求項３２】
前記課金条件が定額課金である請求項３０に記載のＩＰ通信網を用いた端末間の通信方法。
【請求項３３】
前記ＩＰ通信網に公衆電話交換網が接続され、前記公衆電話交換網には電話機が接続され、発信側の端末と前記電話機間で通信を行うようになっている請求項３０乃至３２のいずれかに記載のＩＰ通信網を用いた端末間の通信方法。
【請求項３４】
前記ＩＰ通信網に携帯電話回線が接続され、前記携帯電話回線には別の端末が接続され、発信側の端末と前記携帯電話回線に接続された別の端末との間で通信を行うようになっている請求項３０乃至３２のいずれかに記載のＩＰ通信網を用いた端末間の通信方法。
【請求項３５】
前記ＩＰ通信網に無線通信路が接続され、前記無線通信路には別の端末が接続され、前記端末と前記無線通信路に接続された別の端末との間で通信を行うようになっている請求項３０乃至３２のいずれかに記載のＩＰ通信網を用いた端末間の通信方法。